【手続補正書】
【提出日】平成24年2月10日(2012.2.10)
【手続補正１】
【補正対象書類名】特許請求の範囲
【補正対象項目名】全文
【補正方法】変更
【補正の内容】
【特許請求の範囲】
【請求項１】
少なくとも２つの動作ネットワークモードに関連するワイヤレス基地局暦情報を含むデータベースをアクセスするための命令と、
前記少なくとも２つの動作ネットワークモードに関連するワイヤレス基地局暦情報を含む前記データベースから、選択通信モードに関連する基地局暦情報を検索するための命令と、を具体的に記憶するコンピュータ可読媒体。
【請求項２】
機器能力データベースからマルチモードワイヤレス通信装置のためのサポートされたモードを決定するための命令を更に含む、請求項１のコンピュータ可読媒体。
【請求項３】
前記少なくとも２つのネットワークモードはＣＤＭＡモード及びＷｉＦｉモードを含む、請求項１のコンピュータ可読媒体。
【請求項４】
前記少なくとも２つのネットワークモードはＧＳＭ（登録商標）モード、ＣＤＭＡモード、ＴＤＭＡモード、ＷＣＤＭＡモード、ＯＦＤＭモード、ＧＰＲモード、ＥＶ−ＤＯモード、ＷｉＦｉモード、ブルートゥース（登録商標）モード、８０２．ｘｘモード、ＵＷＢモード及び衛星モードからなるグループからの少なくとも２つのモードを含む、請求項１のコンピュータ可読媒体。
【請求項５】
基地局暦情報を含んでいる前記データベースをアクセスすることは、基地局フットプリント及び隣接する基地局フットプリントを有する局所暦をアクセスすることを含む、請求項１のコンピュータ可読媒体。
【請求項６】
基地局暦情報を含んでいる前記データベースにアクセスすることは中央設置基地局データベースにアクセスすることを含む、請求項１のコンピュータ可読媒体。
【請求項７】
基地局暦情報を含んでいる前記データベースにアクセスすることは、階層サービスエリヤ方式に従って体系化されたデータベースをアクセスすることを含む、請求項１のコンピュータ可読媒体。
【請求項８】
前記階層サービスエリヤ方式はＣＤＭＡスイッチに従って体系化されている、請求項７のコンピュータ可読媒体。
【請求項９】
前記階層サービスエリヤ方式はＧＳＭスイッチに従って体系化されている、請求項７のコンピュータ可読媒体。
【請求項１０】
前記階層サービスエリヤ方式はＳＩＤ／ＮＩＤに従って体系化されている、請求項７のコンピュータ可読媒体。
【請求項１１】
基地局暦情報を含んでいる前記データベースは特定の基地局セクターの中の複数の既知ＷｉＦｉアクセスポイントを含む、請求項１のコンピュータ可読媒体。
【請求項１２】
基地局暦情報を含んでいる前データベースはブルートゥース、ＵＷＢ、ＺｉｇＢｅｅ(登録商標)及びＲＦＩＤを含むグループから選択される少なくとも１つの基地局タイプのための情報を含む、請求項１のコンピュータ可読媒体。
【請求項１３】
マルチモードワイヤレス装置の現在の通信ネットワークの外側のネットワークに関連する基地局暦情報の要求を処理するための命令を記憶する、請求項１のコンピュータ可読媒体。
【請求項１４】
基地局暦情報を検索することは、マルチモードワイヤレス装置の現在の通信ネットワークの外側のネットワークに関連する基地局暦情報を検索することを含む、請求項１のコンピュータ可読媒体。
【請求項１５】
基地局暦情報を検索することは、マルチモードワイヤレス装置の推定位置に従って基地局暦情報を検索することを含む、請求項１のコンピュータ可読媒体。
【請求項１６】
マルチモードワイヤレス通信装置を使用して、少なくとも２つの動作ネットワークモードに関連するワイヤレス基地局暦情報を含むデータベースをアクセスすること、
前記少なくとも２つの動作ネットワークモードに関連するワイヤレス基地局暦情報を含むデータベースから、マルチモードワイヤレス通信装置によって使用するため選択通信モードに関連する基地局暦情報を検索すること、
を含む、方法。
【請求項１７】
機器能力データベースから前記マルチモードワイヤレス通信装置のための複数のサポートされたモードを決定すること、を更に含む、請求項１６の方法。
【請求項１８】
前記少なくとも２つのネットワークモードはＧＳＭモード、ＣＤＭＡモード、ＴＤＭＡモード、ＷＣＤＭＡモード、ＯＦＤＭモード、ＧＰＲモード、ＥＶ−ＤＯモード、ＷｉＦｉモード、ブルートゥースモード、８０２．ｘｘモード、ＵＷＢモード及び衛星モードを含むグループからの少なくとも２つモードを含む、請求項１６の方法。
【請求項１９】
基地局暦情報を含む前記データベースをアクセスすることは、基地局フットプリント及び隣接基地局フットプリントを有する局所暦をアクセスすること、中央設置基地局データベースをアクセスすることの１つ以上を含む、請求項１６の方法。
【請求項２０】
基地局暦情報を含む前記データベースにアクセスすることは
階層サービスエリヤ方式に従って体系化されたデータベースをアクセスすることを含む、請求項１６の方法。
【請求項２１】
前記階層サービスエリヤ方式はＣＤＭＡスイッチ、ＧＳＭスイッチ及びＳＩＤ／ＮＩＤの１つ以上に従って整理されている、請求項２０の方法。
【請求項２２】
基地局暦情報を含む前記データベースは、
特定の基地局セクターの中の複数の既知ＷｉＦｉアクセスポイント及びブルートゥース、ＵＷＢ、ＺｉｇＢｅｅ及びＲＦＩＤを含むグループから選択される少なくとも１つの基地局タイプのための情報の１つ以上を含む、請求項１６の方法。
【請求項２３】
基地局暦情報を検索することは、マルチモードワイヤレス装置の現在の通信ネットワークの外側のネットワークに関連する基地局暦情報を検索することを含む、請求項１６の方法。
【請求項２４】
少なくとも２つの動作ネットワークモードに関連するワイヤレス基地局暦情報を含むデータベースにアクセスするように、及び
前記少なくとも２つの動作ネットワークモードに関連するワイヤレス基地局暦情報を含むデータベースから、選択通信モードに関連する基地局暦情報を検索するように構成されるコンピュータ利用機器を具備する、移動局装置。
【請求項２５】
前記コンピュータ利用機器は更に、機器能力データベースからマルチモードワイヤレス通信装置のためのサポートモードを決定するように構成される、請求項２４の装置。
【請求項２６】
前記少なくとも２つのネットワークモードはＧＳＭモード、ＣＤＭＡモード、ＴＤＭＡモード、ＷＣＤＭＡモード、ＯＦＤＭモード、ＧＰＲモード、ＥＶ−ＤＯモード、ＷｉＦｉモード、ブルートゥースモード、８０２．ｘｘモード、ＵＷＢモード及び衛星モードを含むグループから選択される少なくとも２つのモードを含む、請求項２４の装置。
【請求項２７】
基地局暦情報を含む前記データベースをアクセスするように構成される前記コンピュータ利用機器は
基地局フットプリント及び隣接基地局フットプリントを有する局所暦をアクセスすること及び
中央配置基地局データベースにアクセスすることの１つ以上を実行するように構成される、請求項２４の装置。
【請求項２８】
基地局暦情報を含む前記データベースをアクセスするように構成されるコンピュータ利用機器は
階層サービスエリヤ方式に従って整理されるデータベースをアクセスするように構成される、請求項２４の装置。
【請求項２９】
階層サービスエリヤ方式はＣＤＭＡスイッチ、ＧＳＭスイッチ及びＳＩＤ／ＮＩＤの１つ以上に従って体系化される、請求項２８の装置。
【請求項３０】
少なくとも２つの動作ネットワークモードに関連するワイヤレス基地局暦情報を含むデータベースをアクセスするための手段と、
前記少なくとも２つの動作ネットワークモードに関連するワイヤレス基地局暦情報を含む前記データベースから、選択通信モードに関連する基地局暦情報を検索するための手段と、を具備する装置。
【請求項３１】
機器能力データベースからマルチモードワイヤレス通信装置のためのサポートモードを決定する手段を更に含む、請求項３０の装置。
【請求項３２】
前記少なくとも２つのネットワークモードはＧＳＭモード、ＣＤＭＡモード、ＴＤＭＡモード、ＷＣＤＭＡモード、ＯＦＤＭモード、ＧＰＲモード、ＥＶ−ＤＯモード、ＷｉＦｉモード、ブルートゥースモード、８０２．ｘｘモード、ＵＷＢモード及び衛星モードを含むグループの少なくとも２つモードを含む、請求項３０の装置。
【請求項３３】
アクセスする前記手段は、
基地局フットプリント及び隣接基地局フットプリントを有する局所暦をアクセスする手段及び中央配置基地局データベースをアクセスする手段の１つ以上を含む、請求項３０の装置。
【請求項３４】
前記アクセスする手段は
階層サービスエリヤ方式に従って体系化されたデータベースをアクセスする手段を含む、請求項３０の装置。
【請求項３５】
前記階層サービスエリヤ方式はＣＤＭＡスイッチ、ＧＳＭスイッチ及びＳＩＤ／ＮＩＤの１つ以上に従って体系化される、請求項３４の装置。